(57)【特許請求の範囲】
【請求項１】
周壁に挿入孔が形成されたタンク本体と、
前記周壁の前記挿入孔の周囲を囲むフランジ部に固定され前記挿入孔に沿うように配置された複数本の取付ボルトと、
前記複数本の取付ボルトを用いて前記周壁に対して固定されて前記挿入孔を塞ぐ閉塞部材と、
前記挿入孔の周囲を囲む環状のパッキン本体及び前記複数本の取付ボルトの一部の取付ボルトと係合して前記パッキン本体の前記挿入孔に対する位置決めを図る係合部を一体に有し、前記タンク本体の前記フランジ部と前記閉塞部材との間に少なくとも前記パッキン本体が圧縮された状態で配置されるパッキンとを具備するタンクであって、
前記パッキンの前記係合部は、前記タンクの組み立て時に前記挿入孔を左右に二分する仮想垂直面の両側に位置し且つ前記パッキン本体の中心より上方に位置する前記複数の取付ボルトの２本の前記取付ボルトに引っ掛けられた状態で前記パッキン本体を前記挿入孔に対して適性な位置に位置決めする２本のフック片からなり、
前記複数の取付ボルトは前記挿入孔に沿って等しい間隔を開けて前記フランジ部に固定されており、
前記２本のフック片は、前記仮想垂直面の両側に位置してほぼ水平方向に並ぶ２本の前記取付ボルトに引っ掛かる形状を有しており、
前記２本のフック片は、前記仮想垂直面から離れる方向に向かって延びて下向きに開口するフック部を形成するように湾曲した形状を有していることを特徴とするタンク。
【請求項２】
前記フランジ部及び前記閉塞部材の一方には他方に向かって開口し且つ前記挿入孔の周囲を囲む環状のパッキン本体収納溝が形成されており、
前記パッキン本体には、前記パッキン本体収納溝に収納される環状の突出部と前記突出部が設けられる面とは反対側の面に設けられて前記突出部の突出方向とは反対側に突出し且つ前記パッキン本体に沿って延びる環状の突起部とが一体に設けられており、
前記環状の突起部の横断面積は前記環状の突出部の横断面積よりも十分に小さいことを特徴とする請求項１に記載のタンク。
【請求項３】
電気ヒータを挿入するための円形の挿入孔及び外側に向かって開口し前記挿入孔の周囲を囲む円環状のパッキン本体収納溝が形成された平坦なフランジ部を一体にするタンク本体と、
前記フランジ部の前記パッキン本体収納溝の外側に前記パッキン本体収納溝に沿うように固定された複数本の取付ボルトと、
前記挿入孔を通して前記タンク本体内に挿入される前記電気ヒータが固定され、前記複数本の取付ボルトが貫通する複数の貫通孔を備え、前記複数の貫通孔を貫通した前記複数本の取付ボルトにそれぞれナットが取付けられて前記周壁に対して固定されて前記挿入孔を塞ぐヒータフランジと、
前記パッキン本体収納溝に嵌合される円環状のパッキン本体及び前記複数本の取付ボルトのうち２本の取付ボルトと係合して前記パッキン本体が前記パッキン本体収納溝から抜け出るのを阻止する係合部を一体に有し、前記タンク本体の前記フランジ部と前記ヒータフランジとの間に少なくとも前記パッキン本体が圧縮された状態で配置されるパッキンとを具備し、
前記パッキンの前記係合部は、前記複数の取付ボルトが水平方向に延びるように前記タンク本体が配置された状態において、前記挿入孔を左右に二分する仮想垂直面の両側に位置してほぼ水平方向に並び前記パッキン本体の中心より上方に位置する２本の前記取付ボルトに引っ掛かる形状を有する２本のフック片からなり、
前記２本のフック片は、前記仮想垂直面から離れる方向に向かって延びて下向きに開口するフック部を形成するように湾曲した形状を有していることを特徴とする電気温水器用のタンク。
【請求項４】
前記パッキン本体には、前記パッキン本体収納溝に収納される環状の突出部と前記突出部が設けられる面とは反対側の面に設けられて前記突出部の突出方向とは反対側に突出し且つ前記パッキン本体に沿って延びる環状の突起部とが一体に設けられており、
前記環状の突起部の横断面積は前記環状の突出部の横断面積よりも十分に小さいことを特徴とする請求項３に記載の電気温水器用のタンク。
【請求項５】
前記フック片は、前記パッキン本体収納溝に収納された状態の前記パッキン本体の前記パッキン本体収納溝から突出する部分に、前記環状の突出部の変形を阻害しないような厚みを有して一体に設けられていることを特徴とする請求項３に記載のタンク。
【発明の詳細な説明】
【０００１】
【発明の属する技術分野】
本発明は、タンクに関するものであり、特にヒータフランジ等の閉塞部材をパッキンを介して周壁に配置したタンクに関するものである。
【０００２】
【従来の技術】
周壁に挿入孔が形成されたタンク本体と、挿入孔の周囲に配置された複数本の取付ボルトを用いて挿入孔を塞ぐように周壁に対して固定された閉塞部材とを有するタンクが知られている。例えば、電気温水器用のタンクでは、挿入孔を通してタンク本体内に挿入される電気ヒータが固定されたヒータフランジが閉塞部材を構成することになる。この種のタンクでは、挿入孔の周囲を囲む環状のパッキン本体及び取付ボルトと係合してパッキン本体の位置決めを図る係合部を一体に有するパッキンが、タンク本体のフランジ部と閉塞部材との間に少なくともパッキン本体が圧縮された状態で配置されている。このようなパッキンのパッキン本体としては、例えば、特開平１０−２３８８６５号公報に示されるように、タンク本体の周壁に形成されたパッキン本体収納溝に収納される環状の突出部を有するものがある。また、パッキンの係合部としては、例えば、特開平３−５９３４７号公報に示されるように、複数本の取付ボルト全てを貫通する複数の貫通孔を有してパッキン本体を囲むように環状に構成したものがある。しかしながら、このような係合部を有するパッキンでは、複数本の取付ボルト全てを複数の貫通孔に貫通させなければならず、パッキンの取り付けが煩雑であった。また、構造が複雑になるため、コストが高くなる。そこで、挿入孔の真上に位置する１本の取付ボルトだけを貫通する貫通孔を有するようにパッキン本体から一方向に延びる突状部によりパッキンの係合部を構成することが提案された。
【０００３】
【発明が解決しようとする課題】
しかしながら、このようなパッキンは、取付時に挿入孔の真上の取付ボルトを支点として左右に揺れることがある。そのため、パッキン本体が挿入孔に対してずれた状態でパッキンが取付けられることがあり、タンクの気密性または液密性が損なわれるおそれがある。また、パッキンを取付る際に、挿入孔に取付ボルトを貫通するため、係合部の挿入孔の周囲が取付ボルトのねじ山によって引っ掛ったり、ちぎれることがあり、パッキンの取り付けが面倒である。
【０００４】
本発明の目的は、パッキンの取り付けが簡単で、しかもパッキン本体を挿入孔に対して適性な位置に位置決めできるタンクを提供することにある。
【０００５】
本発明の他の目的は、係合部が取付ボルトのねじ山によって引っ掛ったり、ちぎれるのを防いで、パッキンを容易に取り付けられるタンクを提供することにある。
【０００６】
本発明の他の目的は、環状の突出部をパッキン本体に具備するパッキンを有するタンクにおいて、パッキンの突出部が設けられる面とは反対側の面とフランジ部または閉塞部材とのシール性を高めることができるタンクを提供することにある。
【０００７】
【課題を解決するための手段】
本発明が改良の対象とするタンクは、周壁に挿入孔が形成されたタンク本体と、周壁の挿入孔の周囲を囲むフランジ部に固定され挿入孔に沿うように配置された複数本の取付ボルトと、複数本の取付ボルトを用いて周壁に対して固定されて挿入孔を塞ぐ閉塞部材と、挿入孔の周囲を囲む環状のパッキン本体及び複数本の取付ボルトの一部の取付ボルトと係合してパッキン本体の挿入孔に対する位置決めを図る係合部を一体に有し、タンク本体のフランジ部と閉塞部材との間に少なくともパッキン本体が圧縮された状態で配置されるパッキンとを具備している。本発明では、パッキンの係合部を、貯湯タンクの組み立て時に挿入孔を左右に二分する仮想垂直面の両側に位置し且つパッキン本体の中心より上方に位置する複数の取付ボルトの２本以上の取付ボルトに引っ掛けられた状態でパッキン本体を挿入孔に対して適性な位置に位置決めする２以上のフック片から構成する。本発明のタンクでは、挿入孔を左右に二分する仮想垂直面の両側に位置し且つパッキン本体の中心より上方に位置する２以上の取付ボルトに２以上のフック片を引っ掛けた後に閉塞部材を周壁に対して固定する。そのため、パッキンは、左右の上方にそれぞれ延びる２以上のフック片によって揺れることなく安定した状態で取付ボルトにぶら下がって引っ掛けられる。その結果、パッキン本体が挿入孔に対して適性な位置に位置決めされ、タンクの気密性または液密性が損なわれるのを防ぐことができる。また、挿入孔を用いることなく取付ボルトにフック片（パッキンの係合部）を引っ掛けるだけでパッキンを取り付けられるので、従来のようにパッキンの係合部が取付ボルトのねじ山によって引っ掛ったり、ちぎれることがなく、パッキンの取り付けが容易になる。
【０００８】
複数の取付ボルトは、挿入孔に沿って等しい間隔を開けてフランジ部に固定し、２以上のフック片は、仮想垂直面の両側に位置してほぼ水平方向に並ぶ２本の取付ボルトに引っ掛かる形状を有する２本のフック片から構成するのが好ましい。このようにすれば、必要最小数のフック片で、安定した状態で取付ボルトにパッキンを引っ掛けらることができる。また、パッキンを左右対称に形成でき、パッキンの製造が容易である。
【０００９】
２本のフック片は、種々の形状に形成できる。例えば、仮想垂直面から離れる方向に向かって延びて下向きに開口するフック部を形成するように湾曲した形状に形成すればフック片を簡単に形成できる。
【００１０】
フランジ部及び閉塞部材の一方には他方に向かって開口し且つ挿入孔の周囲を囲む環状のパッキン本体収納溝を形成し、パッキン本体には、パッキン本体収納溝に収納される環状の突出部と突出部が設けられる面とは反対側の面（以下、反対面という）に設けられて突出部の突出方向とは反対側に突出し且つパッキン本体に沿って延びる環状の突起部とを一体に設けるのが好ましい。この環状の突起部の横断面積は環状の突出部の横断面積よりも十分に小さくする。このような環状の突起部を設けると、取付ボルトを用いて閉塞部材を周壁に対して固定する際に、パッキン本体の反対面がフランジ部または閉塞部材に当接する前に環状の突起部がフランジ部または閉塞部材に当接して圧縮するため、パッキン本体の反対面とフランジ部または閉塞部材とのシール性を高めることができる。
【００１１】
本発明のタンクは、種々のタンクに適用することができる。例えば、電気温水器用のタンクでは、挿入孔を通してタンク本体内に挿入される電気ヒータが固定されたヒータフランジが閉塞部材を構成するため、本発明を有効的に適用することができる。このような電気温水器用のタンクとしては、周壁に電気ヒータを挿入するための円形の挿入孔が形成されたタンク本体と、周壁の挿入孔の周囲を囲みタンク本体の外側に向かって開口する円環状のパッキン本体収納溝を備えた平坦なフランジ部のパッキン本体収納溝の外側にパッキン本体収納の溝に沿うように固定された複数本の取付ボルトと、挿入孔を通してタンク本体内に挿入される電気ヒータを備え、複数本の取付ボルトを用いて周壁に対して固定されて挿入孔を塞ぐヒータフランジと、パッキン本体収納溝に収納される円環状のパッキン本体及び複数本の取付ボルトのうち２本以上の取付ボルトと係合する係合部を一体に有し、タンク本体のフランジ部とヒータフランジとの間に少なくともパッキン本体が圧縮された状態で配置されるパッキンとを具備するものがある。この場合、パッキンの係合部が、貯湯タンクの組み立て時に挿入孔を左右に二分する仮想垂直面の両側に位置し且つパッキン本体の中心より上方に位置する複数の取付ボルトの２本以上の取付ボルトに引っ掛けられた状態でパッキン本体がパッキン本体収納溝から抜け出るのを阻止する２以上のフック片から構成する。このような電気温水器用のタンクでも、パッキンは、左右の上方にそれぞれ延びる２以上のフック片によって揺れることなく安定した状態で取付ボルトにぶら下がった状態で引っ掛けられる。その結果、パッキン本体が挿入孔に対して適性な位置に位置決めされ、電気温水器用のタンクの液密性が損なわれるのを防ぐことができる。また、取付ボルトにフック片（パッキンの係合部）を引っ掛けるだけでパッキンを取り付けられるので、従来のようにパッキンの係合部が取付ボルトのねじ山によって引っ掛ったり、ちぎれることがなく、パッキンの取り付けが容易になる。
【００１２】
より具体的には、電気ヒータを挿入するための円形の挿入孔及び外側に向かって開口し挿入孔の周囲を囲む円環状のパッキン本体収納溝が形成された平坦なフランジ部を一体にするタンク本体と、フランジ部のパッキン本体収納溝の外側にパッキン本体収納溝に沿うように固定された複数本の取付ボルトと、挿入孔を通してタンク本体内に挿入される電気ヒータが固定され、複数本の取付ボルトが貫通する複数の貫通孔を備え、複数の貫通孔を貫通した複数本の取付ボルトにそれぞれナットが取付けられて周壁に対して固定されて挿入孔を塞ぐヒータフランジと、パッキン本体収納溝に嵌合される円環状のパッキン本体及び複数本の取付ボルトのうち２本の取付ボルトと係合してパッキン本体がパッキン本体収納溝から抜け出るのを阻止する係合部を一体に有し、タンク本体のフランジ部とヒータフランジとの間に少なくともパッキン本体が圧縮された状態で配置されるパッキンとを具備している。そして、パッキンの係合部は、複数の取付ボルトが水平方向に延びるようにタンク本体が配置された状態において、挿入孔を左右に二分する仮想垂直面の両側に位置してほぼ水平方向に並びパッキン本体の中心より上方に位置する２本の取付ボルトに引っ掛かる形状を有する２つのフック片から構成する。
【００１３】
前述と同様に、パッキン本体の反対面に環状の突出部の横断面積よりも十分に小さい横断面積を有する環状の突起部を一体に設けると、パッキン本体の反対面とフランジ部または閉塞部材とのシール性を高めることができる。
【００１４】
また、フック片は、環状の突出部の変形を阻害しないように、パッキン本体収納溝に収納された状態のパッキン本体のパッキン本体収納溝から突出する部分に環状の突出部の変形を阻害しないような厚みを有して一体に設けるのが好ましい。
【００１５】
また、前述と同様に２本のフック片は、仮想垂直面から離れる方向に向かって延びて下向きに開口するフック部を形成するように湾曲した形状にすればフック片を簡単に形成することができる。
【００１６】
【発明の実施の形態】
以下図面を参照して本発明の実施の形態を詳細に説明する。図１及び図２は、本発明の電気温水器用タンクのタンク本体の一部を構成する筒状の胴部１の正面図及び平面図である。図３は図１のIII−III線拡大断面図であり、図４は図３の要部の拡大断面図である。図１には図示していないが、胴部１の下側端部及び上側端部には、椀状の鏡板がそれぞれ溶接される。図１，図３及び図４に示すように、胴部１の周壁３の下側領域には、電気ヒータを挿入するための円形の挿入孔５とこの挿入孔５の周囲を囲み外側に向かって開口する円環状のパッキン本体収納溝７とを備えた平坦なフランジ部９がプレス加工により一体に設けられている。パッキン本体収納溝７は、横断面形状がほぼ半円形になる形状を有している。またフランジ部９には、パッキン本体収納溝７の径方向内側に円環状の平板部１１が一体に設けられている。この平板部１１は、後に説明するパッキンに損傷を与えない目的で設けられたものである。更にフランジ部９の径方向外側には胴部１の外周面に向かって延びる円環状の傾斜面１２が形成されている。フランジ部９のパッキン本体収納溝７の外側には、パッキン本体収納溝７に沿うように等しい間隔を開けて８本のスタッドボルトと呼ばれる取付ボルト１３ａ〜１３ｈが溶接により固定されている。各図には示していないが、取付ボルト１３ａ〜１３ｈの先端部外周部には雄ネジが形成されている。
【００１７】
ここで図１に示すように、胴部１の長手方向が上下方向に向き、取付ボルト１３ａ〜１３ｈが水平方向に延びるような状態に胴部１が配置されたときに、挿入孔５を左右に二分する仮想垂直面（Ｓ−Ｓ)を想定する。この例では、８本の取付ボルト１３ａ〜１３ｈのうち、最も上側に位置する取付ボルト１３ａと最も下側に位置する取付ボルト１３ｅがこの仮想垂直面（Ｓ−Ｓ)によって二分されている。取付ボルト１３ｂ〜１３ｄ及び１３ｆ〜１３ｈは上下の取付ボルト１３ａ及び１３ｅの両側に４５°間隔で配置されている。後に説明する図６に示すように、この実施の形態では、後述するパッキン１５のフック片１７及び１９が、最も上側に位置する取付ボルト１３ａの両側に位置する２本の取付ボルト１３ｂ及び１３ｈに係合すなわち引っ掛けられる。
【００１８】
図５（Ａ）乃至（Ｃ）は、この実施の形態で用いるパッキン１５の平面図、正面図及び部分拡大図である。このパッキン１５は、挿入孔５の周囲を囲む環状のパッキン本体収納溝７に一部が収納または嵌合される円環状のパッキン本体１６と取付ボルト１３ｂ及び１３ｈに引っ掛けられて（係合して）、広義には２本の取付ボルトに引っ掛けられた状態でパッキン本体１６を挿入孔５に対して適性な位置に位置決めして（またはパッキン本体１６の挿入孔５に対する位置決めを図って）、パッキン本体１６がパッキン本体収納溝７から抜け出るのを阻止するフック片１７及び１９を備えている。これらのフック片１７及び１９は、前述の仮想垂直面（Ｓ−Ｓ）から離れる方向に向かって延びて下向きに開口するフック部１７ａ及び１９ａを形成するように湾曲した形状を有している。フック部１７ａ及び１９ａによって囲まれる空間の中心とパッキン本体１６の中心とを通る仮想線ＰＬ１及びＰＬ２間の角度θは９０°である。したがって設計上は、フック部１７ａ及び１９ａによって囲まれる空間の中心に２本の取付ボルト１３ｂ及び１３ｈの中心が位置することになる。フック片１７及び１９は、パッキン本体収納溝７に収納された状態のパッキン本体１６がパッキン本体収納溝７から突出する部分に、後述する環状の突出部１６ａの変形を阻害しない厚みを有して一体に設けられている。
【００１９】
パッキン本体１６には、パッキン本体収納溝７に収納される環状の突出部１６ａとこの突出部１６ａが設けられる面とは反対側の面に設けられて突出部１６ａの突出方向とは反対側に突出し且つパッキン本体１６に沿って延びる環状の突起部１６ｂとが一体に設けられている。突出部１６ａの横断面形状は、ほぼ半円形の部分の下に矩形状の台がつながった形状になっている。そして環状の突起部１６ｂは、この矩形状の台の底面の中央部に位置しており、その横断面形状は半円形形状になっている。そして環状の突起部１６ｂの横断面面積は環状の突出部の横断面面積よりも十分に小さく設定されている。具体的には、環状の突起部１６ｂの横断面面積または大きさは、パッキン本体１６がフランジ部９と後述するヒータフランジとの間に配置されて圧縮されたときに、環状の突起部１６ｂの存在が殆ど分からなくなる程度に定められている。環状の突起部１６ｂをこのような大きさにすると、ヒータフランジ側のシール性能を高めることができる。
【００２０】
図６は、パッキン本体１６をパッキン本体収納溝７に収納した状態にさせて、パッキン１５のフック片１７及び１９を２つの取付ボルト１３ｂ及びに１３ｈに引っ掛ける場合の状態を概略的に示す図である。図７は、パッキン本体１６の突出部１６ａをパッキン本体収納溝７に収納し、パッキン１５のフック片１７及び１９を２つの取付ボルト１３ｂ及び１３ｈに引っ掛けた後に、電気ヒータ２１を備えたヒータフランジ（閉塞部材）２３を取付ける場合に、取付ボルト１３ｈに螺合させたナット２５を締めつける前の状態の拡大断面図を示している。ヒータフランジ２３は円板形状を呈しており、ヒータフランジ２３の外周縁近傍には、８本の取付ボルト１３ａ〜１３ｈが貫通する８個の貫通孔が形成されている。またヒータフランジ２３の中央部には、電気ヒータ２１のケースが液密に貫通する２つの貫通孔が形成されている。図７に示す状態では、ナット２５を締めつけていないため、パッキン１５に設けた環状の突起部１６ｂはまだ形状を維持している。この状態から全てのナット２５を締めつけると、図８のようにパッキン１５のパッキン本体１６は圧縮される。圧縮されたパッキン本体１６は、径方向に延びてフランジ部９及び平板部１１とヒータフランジ２３との間の空間に入り込む。この例では、円環状の平板部１１の幅寸法（挿入孔の径方向の寸法）を、フランジ部９とヒータフランジ２３との間で圧縮された状態のパッキン本体１６の内縁部１６ｃを平板部１１の径方向内側縁部１１ａが越えるように定めている。そのためナット２５を締めつけても、平板部１１の径方向内側縁部１１ａがパッキン本体１６に食い込むことがなく、パッキン本体１６を傷つけることはないので、シール性能が低下するのを確実に防止することができる。
【００２１】
なおこの場合に、円環状の平板部１１の幅寸法（径方向寸法）を、平板部１１の径方向内側縁部１１ａとヒータフランジ２３との間に隙間腐食の原因となるような隙間を形成しないように定めると、平板部１１を設けたとしてもタンク内で隙間腐食が発生するのを阻止できる。これを実現するための具体的な平板部１１の幅寸法は、フランジ部９の板厚寸法の３倍以内である。具体的には、一般的な家庭用電気温水器のタンクであれば、この幅寸法を０．９ｍｍ〜３ｍｍ程度にするのが好ましい。
【００２２】
次に図９を用いて、円環状のパッキン本体収納溝７と円環状の平板部１１とを備えた平坦なフランジ部９が円筒状の胴部１の周壁に一体に設けられたタンク本体を製造する方法の実施の形態を説明する。まず円筒状の胴部１の径方向内側に金型台３０の上に支持された内側金型３１と絞りダイス３２を配置し、胴部１の径方向外側に外側金型３３を配置する。外側金型３３には絞りダイス３２が入り込む凹部が形成されており、絞りダイス３２が外側金型３３内に押し込まれた環状のパッキン本体収納溝７を備えた平坦部分８を形成する。外側金型３３は、後に挿入孔５を形成する部分が径方向外側に移動するように割型になっている。平坦部分８を形成した後、ピアスロッド３５を油圧シリンダを駆動源とする駆動手段３６を用いて径方向外側に駆動し、ピアスパンチ３４で平坦部分８に挿入孔５を形成する。このようにするとパッキン本体収納溝７の形成後に挿入孔５を形成することになる。そのため、パッキン本体収納溝７を備えた平坦部分８を胴部１に形成した後に、プレス用内側金型とプレス用外側金型を交換することなく、時間的に遅れて平坦部分８に挿入孔５を形成することができる。また、平坦部分８を形成した後、０．５〜２秒遅れて挿入孔を形成すると平坦部分８及びパッキン本体収納溝７の形成による塑性変形の影響を受けないため真円度の高い挿入孔５を形成できる。なお、本例では、胴部１の内側にピアスロッド３５の駆動手段３６を配置し、ピアスロッド３５を胴部１の径方向外側に駆動して挿入孔５を形成したが、胴部１の外側にピアスロッドの駆動手段を配置し、ピアスロッドを胴部１の径方向内側に駆動して挿入孔５を形成しても構わないのは勿論である。
【００２３】
【発明の効果】
本発明によれば、挿入孔を左右に二分する仮想垂直面の両側に位置し且つパッキン本体の中心より上方に位置する２以上の取付ボルトに２以上のフック片を引っ掛けた後に閉塞部材を周壁に対して固定する。そのため、パッキンは、左右の上方にそれぞれ延びる２以上のフック片によって揺れることなく安定した状態で取付ボルトにぶら下がって引っ掛けられる。その結果、パッキン本体が挿入孔に対して適性な位置に位置決めされ、タンクの気密性または液密性が損なわれるのを防ぐことができる。また、挿入孔を用いることなく取付ボルトにフック片（パッキンの係合部）を引っ掛けるだけでパッキンを取り付けられるので、従来のようにパッキンの係合部が取付ボルトのねじ山によって引っ掛ったり、ちぎれることがなく、パッキンの取り付けが容易になる。
【図面の簡単な説明】
【図１】  本発明の電気温水器用タンクのタンク本体の一部を構成する筒状の胴部の正面図である。
【図２】  本発明の電気温水器用タンクのタンク本体の一部を構成する筒状の胴部の平面図である。
【図３】  図１のIII−III線拡大断面図である。
【図４】  図３の要部の拡大断面図である。
【図５】  （Ａ）乃至（Ｃ）は、本発明の実施の形態で用いるパッキンの平面図、正面図及び部分拡大図である。
【図６】  パッキン本体をパッキン本体収納溝に収納した状態させて、パッキンのフック片を２つの取付ボルトに引っ掛ける場合の状態を概略的に示す図である。
【図７】  ヒータフランジ（閉塞部材）を取付ける際において、取付ボルトに螺合させたナットを締めつける前の状態の拡大断面図を示している。
【図８】  ヒータフランジ（閉塞部材）を取付ける際において、取付ボルトに螺合させたナットを締めつけた後の状態の拡大断面図を示している。
【図９】  タンク本体を製造する方法の実施の形態を説明するために用いる図である。
【符号の説明】
１  胴部
５  挿入孔
７  パッキン本体収納溝
９  フランジ部
１３ａ〜１３ｈ  取付ボルト
１５  パッキン
１６  パッキン本体
１６ａ  突出部
１６ｂ  突起部
１７，１９  フック片
１７ａ，１９ａ  フック部
２１  電気ヒータ
２３  ヒータフランジ
Ｓ−Ｓ  仮想垂直面
【図１】
0004450475.tif 000002
【図２】
0004450475.tif 000003
【図３】
0004450475.tif 000004
【図４】
0004450475.tif 000005
【図５】
0004450475.tif 000006
【図６】
0004450475.tif 000007
【図７】
0004450475.tif 000008
【図８】
0004450475.tif 000009
【図９】
0004450475.tif 000010